(57)【要約】【課題】  回動足乗台付入浴用車椅子の足乗台を邪魔にならない退避位置へ移動できる回動足乗台付入浴用車椅子を提供すること。【解決手段】  回動足乗台付入浴用車椅子（１）において、座部フレーム（４）の前上部の左右に、回動部（７）が設けられ、該回動部（７）に足乗台（８）が設けられ、回動部（７）は、座部フレーム（４）の前上部の左右にそれぞれ取着される基部（１４）と、基部（１４）に水平面状に回動可能に設けられ回動の始終端が基部（１４）で規制されるよう所定形状に形成された回動板（１５）と、基部（１４）に設けられ回動板（１５）を軸支する支持軸（１６）とからなり、回動板（１５）に足乗台（８）の基部が取着されており、足乗台（８）は車椅子部（１３）の正面向きと背面向きとの間で往復移動できる回動足乗台付入浴用車椅子である。【選択図】      図１
2007313092.tif 000002
【特許請求の範囲】
【請求項１】
回動足乗台付入浴用車椅子（１）において、座部フレーム（４）の前上部の左右に、回動部（７）が設けられ、該回動部（７）に足乗台（８）が設けられ、
回動部（７）は、座部フレーム（４）の前上部の左右にそれぞれ取着される基部（１４）と、基部（１４）に水平面状に回動可能に設けられ回動の始終端が基部（１４）で規制されるよう所定形状に形成された回動板（１５）と、基部（１４）に設けられ回動板（１５）を軸支する支持軸（１６）とからなり、
回動板（１５）に足乗台（８）の基部が取着されており、足乗台（８）は車椅子部（１３）の正面向きと背面向きとの間で往復移動できることを特徴とする回動足乗台付入浴用車椅子。
【請求項２】
基部（１４）における支持軸（１６）は、座部フレーム（４）の上フレーム部（５）より幅方向の外方へ突出した位置に設けられており、
足乗台（８）は支持軸（１６）を中心に使用位置から退避位置へ１８０度回動することを特徴とする請求項１記載の回動足乗台付入浴用車椅子。
【請求項３】
基部（１４）は、基部上板（１７）と基部下板（１８）とでなり、
回動板（１５）が基部上・下板（１７）・（１８）の間に回動可能に挟着されてなることを特徴とする請求項１記載の回動足乗台付入浴用車椅子。
【請求項４】
基部（１４）に、回動板（１５）を回動不自在に掛止する掛止具（２５）が設けられ、回動板（１５）の回動始点で掛止具（２５）のピン（２１）が嵌る使用位置穴（１９）が回動板（１５）に開設され、更に、回動板（１５）の回動終点でピン（２１）が嵌る退避位置穴（２０）が回動板（１５）に開設され、
足乗台（８）が使用位置又は退避位置に至ると該足乗台（８）が回動部（７）へ自動的に回動不自在に掛止されることを特徴とする請求項１記載の回動足乗台付入浴用車椅子。
【発明の詳細な説明】
【技術分野】
【０００１】
本発明は、介護を必要とする人（＝以下入浴者という）が入浴する時に使用される回動足乗台付入浴用車椅子に関する。
【背景技術】
【０００２】
従来の技術には、足置き体、垂直フレームに嵌合する筒体、支持棒、足置き板とからなり、垂直フレームと筒体との間に位置決め手段を付設したシャワー入浴装置等の車椅子足置機構が開示されている。
【０００３】
従来の技術に係る車椅子足置機構は、回動部が、垂直フレームの上部に設けられず、座面と床面の中間の高さ位置に設けられているので、垂直フレームごと退避させることはできず、垂直フレームが前部に残る。
又足置き体の回動中心が外側に突出していないので、足置き体を開放すると９０度外方へ回動できるが、足置き体が外方に突出し、患者の乗り降り動作や移動の邪魔になる。
【特許文献１】特開２００１−６１９００号公報
【発明の開示】
【発明が解決しようとする課題】
【０００４】
解決しようとする問題点は、足置き体を開放した時、車椅子の正面に垂直フレームが残りこの垂直フレームが入浴者が車椅子への乗り降り動作の邪魔になり、又、足置き体が幅方向の外方に突出し、入浴者及び介助者の移動の邪魔になる点である。
【課題を解決するための手段】
【０００５】
本発明の目的は、上記課題を解決したものであり、回動足乗台付入浴用車椅子の足乗台を邪魔にならない退避位置へ移動できる回動足乗台付入浴用車椅子を提供することである。
即ち本発明は、回動足乗台付入浴用車椅子（１）において、座部フレーム（４）の前上部の左右に、回動部（７）が設けられ、該回動部（７）に足乗台（８）が設けられ、回動部（７）は、座部フレーム（４）の前上部の左右にそれぞれ取着される基部（１４）と、基部（１４）に水平面状に回動可能に設けられ回動の始終端が基部（１４）で規制されるよう所定形状に形成された回動板（１５）と、基部（１４）に設けられ回動板（１５）を軸支する支持軸（１６）とからなり、回動板（１５）に足乗台（８）の基部が取着されており、足乗台（８）は車椅子部（１３）の正面向きと背面向きとの間で往復移動できることを特徴とする回動足乗台付入浴用車椅子である。
又、基部（１４）における支持軸（１６）は、座部フレーム（４）の上フレーム部（５）より幅方向の外方へ突出した位置に設けられており、足乗台（８）は支持軸（１６）を中心に使用位置から退避位置へ１８０度回動する。
更に、基部（１４）は、基部上板（１７）と基部下板（１８）とでなり、
回動板（１５）が基部上・下板（１７）・（１８）の間に回動可能に挟着されてなる。
更に又、基部（１４）に、回動板（１５）を回動不自在に掛止する掛止具（２５）が設けられ、回動板（１５）の回動始点で掛止具（２５）のピン（２１）が嵌る使用位置穴（１９）が回動板（１５）に開設され、更に、回動板（１５）の回動終点でピン（２１）が嵌る退避位置穴（２０）が回動板（１５）に開設され、足乗台（８）が使用位置又は退避位置に至ると該足乗台（８）が回動部（７）へ自動的に回動不自在に掛止される。
【発明の効果】
【０００６】
本発明は、回動板１５に足乗台８の基部が取着されており、足乗台８は車椅子部１３の正面向きと背面向きとの間で往復移動できるから、足乗台８の全体が退避位置へ退避でき、車椅子部１３の正面部に突出部材が無く乗降し易く、好都合であり、又、回動板１５と共に足乗台８を円滑に回動でき、好都合であり、又、回動板１５の回動限度での規制を、回動板１５を所定の形状の形成してこれを基部１４で規制して行ない足乗台８を容易に回動始終両端の好適位置で止めることができ、好都合である。
【０００７】
本発明に係る基部１４における支持軸１６は、座部フレーム４の上フレーム部５より幅方向の外方へ突出した位置に設けられており、足乗台８は支持軸１６を中心に使用位置から退避位置へ１８０度回動するから、足乗台８を正面向きの使用位置と背面向きの退避位置との間に１８０度回動でき、足乗台８を退避位置に移動させた時、足乗台８が、車椅子部１３の幅方向の外方に突出しないで車椅子部１３の幅方向の外側に並列状に添い、安全であり、好都合である。
【０００８】
本発明に係る基部１４は、基部上板１７と基部下板１８とでなり、回動板１５が基部上・下板１７・１８の間に回動可能に挟着されてなるから、基部上・下板１７・１８と回動板１５とのスライド部分の面積が広く足乗台８のガタつきが少なく、好都合である。
【０００９】
本発明に係る基部１４に、回動板１５を回動不自在に掛止する掛止具２５が設けられ、回動板１５の回動始点で掛止具２５のピン２１が嵌る使用位置穴１９が回動板１５に開設され、更に、回動板１５の回動終点でピン２１が嵌る退避位置穴２０が回動板１５に開設され、足乗台８が使用位置又は退避位置に至ると足乗台８が自動的に回動部７へ回動不自在に掛止されるから、回動板１５の掛止・解除に係る操作が容易であり、又、確実に使用位置又は退避位置へ固定でき、好都合である。
【発明を実施するための最良の形態】
【００１０】
本発明の足乗台８を邪魔にならない退避位置へ移動できる回動足乗台付入浴用車椅子１を提供する目的を、座部フレーム４の前上部の左右に、回動部７が設けられ、該回動部７に足乗台８が設けられ、回動部７は、座部フレーム４の前上部の左右にそれぞれ取着される基部１４と、基部１４に水平面状に回動可能に設けられ回動の始終端が基部１４で規制されるよう所定形状に形成された回動板１５と、基部１４に設けられ回動板１５を軸支する支持軸１６とからなり、回動板１５に足乗台８の基部が取着されており、足乗台８は車椅子部１３の正面向きと背面向きとの間で往復移動できる回動足乗台付入浴用車椅子１をもって、実現した。
【実施例１】
【００１１】
図１、２、３、４、５に本発明の実施例１の回動足乗台付入浴用車椅子１を示している。
実施例１は、入浴用の車椅子部１３に水平面状に回動する足乗台８が取り付けられてなる。
車椅子部１３は、台車部２と、台車部２に載設される座席部３とからなる。車椅子部１３において、座部フレーム４の上フレーム部５（＝左上フレーム部５ａ及び右上フレーム部５ｂ）のそれぞれの前部に、足乗台取付板６（＝左足乗台取付板６ａ及び右足乗台取付板６ｂ）を介して回動部７（＝左回動部７ａ及び右回動部７ｂ）が設けられる。
回動部７に足乗台８（＝左足乗台８ａ及び右足乗台８ｂ）が取り付けられる。
【００１２】
実施例１は、リクライニング式分離型であり、足乗台取付板６は、背凭れ部９を後傾させた時、足乗台取付板６と背凭れ部９の間にリンクして設けられる縦連接棒１０及び横連接棒１１に押されて、板取付軸１２を中心に垂直面状に回動する。
背凭れ部９の後傾動に連動して足乗台取付板６が回動し、足乗台８は上方へ移動する。この移動で実施例１上の入浴者は長座位のリクライニング姿勢になる。
【００１３】
入浴の際、実施例１を上記リクライニング姿勢にして、実施例１を前方へ移動させて、扉を開放した扉付き浴槽（図示省略）へ押し込む。
この時、車椅子部１３の座席部３と台車部２が分離し、座席部３は浴槽内に入り、台車部２は浴槽下方外部の空間へ進入する。
扉を閉め、湯を入れ、入浴する。
【００１４】
左右足乗台取付板６ａ・６ｂの各前端部に前軸３７が幅方向に懸け渡して取り付けられる。前軸３７の左右両端に回動部７が設けられる。
回動部７は、前軸３７の端部に取着される基部１４と、基部１４に水平面状に回動可能に設けられ回動の始終端が基部１４で規制されるよう所定形状に形成された回動板１５と、基部１４に設けられ回動板１５を軸支し縦向きに設けられる支持軸１６とからなる。
【００１５】
基部１４は、基部上板１７と、基部下板１８とでなる。
回動板１５が基部上板１７と基部下板１８の間に回動可能に挟着されてなる。回動板１５に、使用位置穴１９及び退避位置穴２０が開設される。該両穴１９・２０は、後記するピン２１が嵌る穴である。
【００１６】
基部１４おける支持軸１６は、上フレーム部５より車椅子部１３の幅方向の外方へ突出した位置に設けられる。
【００１７】
足乗台８は、足乗台腕２２と、足乗台腕２２の先部に取着される足乗板２３と、足乗台腕２２の前面部に取着され入浴者の脹脛を受ける受板２４とからなる。
回動板１５に足乗台腕２２の基部が取着され、足乗台８は、支持軸１６を中心に回動板１５と共に回動する。
足乗台８は、車椅子部１３の正面向きと、車椅子部１３の外方を回して至る背面向きとの間で往復移動できる。
支持軸１６は、前述した様に、上フレーム部５より左右外方へ突出した位置に設けられているため、足乗台８は使用位置から退避位置へ１８０度回動できる。
【００１８】
基部上板１７に、回動板１５を回動不自在に掛止する掛止具２５が設けられる。掛止具２５の具体例は手動プランジャ２６であり、該手動プランジャ２６は、基部上板１７上に縦方向に突設される筐体２７と、筐体２７に支持され上下に移動できるピン２１と、ピン２１の上部に形成されるツマミ２８と、ピン２１を下方に付勢するバネ２９とからなる。
【００１９】
基部上板１７に設けられるピン２１の位置は、回動板１５の使用位置穴１９に合致できる位置であり、該穴１９とピン２１が合致した時、ピン２１はバネ２９力で下降し、使用位置穴１９に嵌入する。退避位置穴２０は、支持軸１６を中心に使用位置穴１９と対称する位置にあり、回動板１５を１８０度回動させると、ピン２１は退避位置穴２０に合致する。
使用位置穴１９はピン２１が回動板１５の回動始点で嵌る穴であり、退避位置穴２０はピン２１が回動板１５の回動終点で嵌る穴である。
【００２０】
即ち、ピン２１が使用位置穴１９に嵌入することにより足乗台８が使用位置（＝正面方向に突出した位置）に回動不自在に掛止され、ピン２１が退避位置穴２０に嵌入することにより足乗台８が退避位置（＝背面に向いた位置）に回動不自在に掛止される。
【００２１】
尚、図１中、３０はローラー、３６は座部、３９は前回動支持枠、４０は支持枠、４４は中フレーム、４５は下フレーム、４２は車輪、図３中、３１は取手、３２は背凭れ解除ハンドル、３３は解除連接棒、３４は後傾掛止板、３５は回動手摺、図５中、３８は枕、４１は中回動支持枠、４３は後回動支持枠である。
【００２２】
実施例１を使用する際、先ず、実施例１のセッティングを行なう。介助者は、ツマミ２８を持ち上げ掛止具２５の掛止作用を解除する。
続いて、車椅子部１３の正面方向に突出した足乗台８を、回動板１５と共に支持軸１６を中心に回動させ背面へ向け、車椅子部１３の外側に添わせる。
【００２３】
回動板１５は、基部上板１７と基部下板１８との間に挟着されてガタつくことなく円滑に回動する。
支持軸１６は上フレーム部５より幅方向外方に設けられており、足乗台８は１８０回動できる。
【００２４】
足乗台８を背面方向へ回動させた時、回動終端で、ピン２１がバネ２９力により自動的に退避位置穴２０に嵌入し、足乗台８は回動部７へ移動不自在に掛止される。
左・右足乗台８ａ・８ｂの二個を背面方向へ向けるが、必要に応じて片側の足乗台８一個だけを背面方向へ向けることも有る。又、必要に応じて回動手摺３５を、跳ね上げて背面方向へ退避させてもよい。
【００２５】
上記セッティングの後、介助者は入浴者を、車椅子部１３の座部３６に腰掛け乗せる。
続いて、ツマミ２８を摘み上げて、掛止具２５の掛止機能を解除し、入浴者の足を上げ、背面へ向いた足乗台８を正面方向へ回動させ使用位置へ至らせ、入浴者の足を足乗せ台８に乗せる。足乗台８が正面に向き、所定の位置に至った時、ピン２１が使用位置穴１９に嵌入し、足乗台８が回動部７に掛止固定される。
【００２６】
実施例１を開扉した前記浴槽に押し込み、入浴者を浴槽内に入れ、続いて扉を閉め、給湯し、入浴を行なう。
暫時後の退浴の際は、浴槽から湯を排水し、実施例１を浴槽から引き出す。引き出し中に、浴槽内の座席部３と浴槽の下方外部の台車部２とは自動的に合体し、両部材を一体的に引き出せる。
【００２７】
実施例１から入浴者を降ろす時、掛止具２５を解除し、入浴者の足を持ち上げ、足乗台８を背面方向へ回動させる。車椅子部１３の直前を空間にした後、入浴者を座部３６から降ろし、入浴を終わる。
【産業上の利用可能性】
【００２８】
回動足乗台付入浴用車椅子1において、座部フレーム４の前上部の左右に、回動部７が設けられ、該回動部７に足乗台８が設けられ、回動部７は、座部フレーム４の前上部の左右にそれぞれ取着される基部１４と、基部１４に水平面状に回動可能に設けられ回動の始終端が基部１４で規制されるよう所定形状に形成された回動板１５と、基部１４に設けられ回動板１５を軸支する支持軸１６とからなり、回動板１５に足乗台８の基部が取着されており、足乗台８は車椅子部１３の正面向きと背面向きとの間で往復移動できる回動足乗台付入浴用車椅子１に適用できる。
【図面の簡単な説明】
【００２９】
【図１】本発明の実施例１の回動部を示す部分右側面図である。
【図２】本発明の実施例１の部分平面図である。
【図３】本発明の実施例１の背面図である。
【図４】本発明の実施例１の座席部を透視した平面図である。
【図５】本発明の実施例１の右側面図である。
【符号の説明】
【００３０】
１  回動足乗台付入浴用車椅子
４  座部フレーム
５  上フレーム部
７  回動部
８  足乗台
１３  車椅子部
１４  基部
１５  回動板
１６  支持軸
１７  基部上板
１８  基部下板
１９  使用位置穴
２０  退避位置穴
２１  ピン
２５  掛止具
【図１】
2007313092.tif 000003
【図２】
2007313092.tif 000004
【図３】
2007313092.tif 000005
【図４】
2007313092.tif 000006
【図５】
2007313092.tif 000007